(57)【要約】      （修正有）【課題】繊維状部材からなる塗布部材を簡易且つ迅速に、しかも、強固に取り付けることができる油引きを提供する。【解決手段】油引きＡは、歯５１に係合してバンド体５２の戻る方向への移動を係止する係止部５４を有する頭部５５とを備えた結束バンド５と、本体２と、第１の通孔２１ａと第２の通孔２１ｂにバンド体５２が挿入され、横断部２１の一方側２１Ａにバンド体５２の環状部が、横断部２１の他方側２１Ｂに第１の通孔２１ａ、第２の通孔２１ｂ及び頭部５５の孔５３をバンド体５２が貫通すると共に、バンド体５２の歯５１が頭部５５の孔５３に臨むように設けられた係止部５４に係合している頭部５５が、それぞれ位置するものであり、バンド体５２の環状部に結束されて取り付けられ、本体２より突出するように設けられた複数の繊維状部材からなる塗布部材１と、本体２を覆うように設けられ、外周が手で握る部位となるキャップ３とを備えているものである。【選択図】図６
0003120048.tif 000002
【実用新案登録請求の範囲】
【請求項１】
係止用の歯を連接したバンド体と、このバンド体を挿通する孔及び該孔に臨むように設けられ、前記歯に係合して前記バンド体の戻る方向への移動を係止する係止部を有する頭部とを備えた結束バンドと、
両端が開口した筒状の内部を横断するように設けられた横断部に第１の通孔と第２の通孔とを有する本体と、
前記第１の通孔と前記第２の通孔に前記バンド体が挿入され、前記横断部  の一方側に前記バンド体の環状部が、前記横断部の他方側に前記第１の通孔、前記第２の通孔及び前記頭部の孔を前記バンド体が貫通すると共に、前記バンド体の歯が前記頭部の孔に臨むように設けられた前記係止部に係合している前記頭部が、それぞれ位置するものであり、
前記バンド体の環状部に結束されて取り付けられ、前記本体より突出するように設けられた複数の繊維状部材からなる塗布部材と、
前記本体を覆うように設けられ、外周が手で握る部位となるキャップとを備えていることを特徴とする油引き。
【請求項２】
キャップの外側に移動自在に取り付けられた両端が開口した外側筒体と、
この外側筒体には、前記外側筒体の両端部に直交するように設けられた縦長状の長穴と、この縦長状の長穴に直交するように設けられた複数の横長状の長穴とを有し、前記縦長状の長穴と前記複数の横長状の長穴は連通してガイドを形成し、前記縦長状の長穴は前記外側筒体の両端部に達していないものであり、
前記ガイドより突出するように、前記キャップに設けられたピンとを備え、    前記外側筒体による前記塗布部材を覆う位置が、少なくとも、二箇所有するように、前記複数の横長状の長穴が二つ設けられている
ことを特徴とする請求項１記載の油引き。
【考案の詳細な説明】
【技術分野】
【０００１】
本考案は、油引きに係り、特に、繊維状部材からなる塗布部材を簡易且つ迅速に、しかも、強固に取り付けることができる油引きに関する。
【背景技術】
【０００２】
従来、油を塗布する油引きにあっては、金属キャップに２個の穴を設け、この２個の穴に針金を通して結束して塗布部材を上記金属キャップに取り付けるようにしている（例えば、特許文献１参照）。
しかしながら、針金による取付は、結束に時間を要すると共に、結束の状態にばらつきが生じ易いという問題点があった。
また、上記の油引きにあっては、筒状本体の外側から、ネジ部材を筒状本体に設けたガイド長孔を介して上記金属キャップ側のネジ孔に螺合して締め付けており、塗布部材の突出量の調整をする際、非常に面倒であるという問題点があった。
【特許文献１】特開平９−１９３７８号公報（図５）
【考案の開示】
【考案が解決しようとする課題】
【０００３】
本考案は、前記した問題点を除去するようにした油引きを提供することを目的としている。
【課題を解決するための手段】
【０００４】
前記した目的を達成するための請求項１記載の油引きは、係止用の歯を連接したバンド体と、このバンド体を挿通する孔及び該孔に臨むように設けられ、前記歯に係合して前記バンド体の戻る方向への移動を係止する係止部を有する頭部とを備えた結束バンドと、両端が開口した筒状の内部を横断するように設けられた横断部に第１の通孔と第２の通孔とを有する本体と、前記第１の通孔と前記第２の通孔に前記バンド体が挿入され、前記横断部の一方側に前記バンド体の環状部が、前記横断部の他方側に前記第１の通孔、前記第２の通孔及び前記頭部の孔を前記バンド体が貫通すると共に、前記バンド体の歯が前記頭部の孔に臨むように設けられた前記係止部に係合している前記頭部が、それぞれ位置するものであり、前記バンド体の環状部に結束されて取り付けられ、前記本体より突出するように設けられた複数の繊維状部材からなる塗布部材と、前記本体を覆うように設けられ、外周が手で握る部位となるキャップとを備えているものである。
【０００５】
また、請求項２記載の油引きは、請求項１記載の油引きにおいて、キャップの外側に移動自在に取り付けられた両端が開口した外側筒体と、この外側筒体には、前記外側筒体の両端部に直交するように設けられた縦長状の長穴と、この縦長状の長穴に直交するように設けられた複数の横長状の長穴とを有し、前記縦長状の長穴と前記複数の横長状の長穴は連通してガイドを形成し、前記縦長状の長穴は前記外側筒体の両端部に達していないものであり、前記ガイドより突出するように、前記キャップに設けられたピンとを備え、前記外側筒体による前記塗布部材を覆う位置が、少なくとも、二箇所有するように、前記複数の横長状の長穴が二つ設けられているものである。
【考案の効果】
【０００６】
請求項１記載の油引きによれば、本体は両端が開口した筒状に形成され、この筒状の内部を横断するように設けられた横断部の一方側に塗布部材を結束するバンド体の環状部が形成され、前記横断部の他方側に第１の通孔、第２の通孔及び頭部の孔を前記バンド体が貫通すると共に、前記バンド体の歯が前記頭部の孔に臨むように設けられた係止部に係合している前記頭部がそれぞれ位置するため、複数の繊維状部材からなる塗布部材を本体に簡易且つ迅速に、しかも、強固に取り付けることができる。
【０００７】
また、請求項２記載の油引きによれば、前述した請求項１記載の考案の効果に加え、一方の手で外側筒体を、他方の手でキャップを持って、外側筒体又はキャップをガイドに沿って移動させ、二つの横長状の長穴の内の何れか一つをピンに位置させることにより、塗布部材の外側筒体よりの突出量を簡易に調整することができる。
【考案を実施するための最良の形態】
【０００８】
本考案の一実施例の油引きを図面を参照して説明する。
図１乃至図６において、Ａは油を塗布する油引きで、油引きＡは、概略的に、複数の繊維状部材からなる塗布部材１を取り付けた本体２と、この本体２を覆うように設けられ、外周が手で握る部位となるキャップ３と、このキャップ３の外側に移動自在に取り付けられた両端が開口した外側筒体４とから構成されている  。
【０００９】
本体２は、両端が開口した筒状の内部を横断するように設けられた横断部２１に第１の通孔２１ａと第２の通孔２１ｂとを有する（図５及び図６参照）。また、５は結束バンドで、結束バンド５は、係止用の歯５１を連接したバンド体５２と、このバンド体５２を挿通する孔５３及び該孔５３に臨むように設けられ、歯５１に係合してバンド体５２の戻る方向への移動を係止する係止部５４を有する頭部５５とを備えている。
そして、図５及び図６に示すように、第１の通孔２１ａと第２の通孔２１ｂにバンド体５２が挿入され、横断部２１の一方側２１Ａにバンド体５２の環状部が形成され、横断部２１の他方側２１Ｂに第１の通孔２１ａ、第２の通孔２１ｂ及び頭部５５の孔５３をバンド体５２が貫通すると共に、バンド体５２の歯５１が頭部５５の孔５３に臨むように設けられた係止部５４に係合している頭部５５がそれぞれ位置するようになっている。また、バンド体５２の環状部に複数の繊維状部材からなる塗布部材１が結束されて、本体２に取り付けられ、塗布部材１は本体２より突出するように設けられている。
【００１０】
上述した油引きＡによれば、本体２は両端が開口した筒状に形成され、この筒状の内部を横断するように設けられた横断部２１の一方側２１Ａに塗布部材１を結束するバンド体５２の環状部が、横断部２１の他方側２１Ｂに第１の通孔２１ａ、第２の通孔２１ｂ及び頭部５５の孔５３をバンド体５２が貫通すると共に、バンド体５２の歯５１が頭部５５の孔５３に臨むように設けられた係止部５４に係合している頭部５５が、それぞれ位置する。そのため、複数の繊維状部材からなる塗布部材１を結束バンド５を使って本体２に簡易且つ迅速に、しかも、強固に取り付けることができる。
【００１１】
また、外側筒体４には、図１及び図２に示すように、外側筒体４の両端部４１、４２に直交するように設けられた縦長状の長穴４３ａと、この縦長状の長穴４３ａに直交するように設けられた複数の横長状の長穴４３ｂ、４３ｃ、４３ｄとを有し、縦長状の長穴４３ａと複数の横長状の長穴４３ｂ、４３ｃ、４３ｄは連通してガイド４３を形成している。そして、３１はガイド４３より突出するように、キャップ３に設けられたピンである。なお、縦長状の長穴４３ａは、図２に示すように、外側筒体４の両端部４１、４２に達していない。
【００１２】
従って、塗布部材１の外側筒体４よりの突出量を、最も多くするには、図１（ａ）に示すように、ピン３１を横長状の長穴４３ｂに合わせる。次に、図１（ａ）より突出量を減らすには、一方の手で外側筒体４を、他方の手でキャップ３を持って、外側筒体４又はキャップ３をガイド４３に沿って移動させ、図１（ｂ）に示すように、ピン３１を横長状の長穴４３ｃに合わせる。次に、図１（ｂ）より突出量を更に減らすには、一方の手で外側筒体４を、他方の手でキャップ３を持って、外側筒体４又はキャップ３をガイド４３に沿って移動させ、図１（ｃ）に示すように、ピン３１を横長状の長穴４３ｄに合わせるようにする。
【００１３】
なお、本実施例では、塗布部材１の外側筒体４よりの突出量を三段階に可変するものを示したが、本願考案にあっては、これに限らず、四段階以上でも良いが、少なくとも、二段階あれば良い。かかる場合（二段階）、外側筒体４による塗布部材１を覆う位置が、少なくとも、二箇所有するように、複数の横長状の長穴が二つ設けられていれば良い。二つとは、例えば、横長状の長穴４３ｂ、４３ｃ、又は、横長状の長穴４３ｃ、４３ｄ、又は、横長状の長穴４３ｄ、４３ｂである。
【図面の簡単な説明】
【００１４】
【図１】図１（ａ）は、本考案の一実施例の油引きの概略的正面図であり、図１（ｂ）は、図１（ａ）の油引きの係止位置を変えて、塗布部材の突出量を減少した状態の油引きの概略的正面図であり、図１（ｃ）は、図１（ｂ）の油引きの係止位置を変えて、塗布部材の突出量を減少した状態の油引きの概略的正面図である。
【図２】図２は、図１の油引きの概略的分解斜視図である。
【図３】図３は、図１（ａ）の３−３線の概略的断面図である。
【図４】図４は、図３の４−４線の概略的断面図である。
【図５】図５は、図３の一部を拡大して示す概略的一部拡大断面図である。
【図６】図６は、図５の塗布部材の取り付け状態を示す概略的斜視図である。
【符号の説明】
【００１５】
Ａ    …………油引き
１    …………塗布部材
２    …………本体
３    …………キャップ
５    …………結束バンド
２１  …………横断部
２１Ａ…………一方側
２１Ｂ…………他方側
２１ａ…………第１の通孔
２１ｂ…………第２の通孔
５１  …………歯
５２  …………バンド体
５３  …………孔
５４  …………係止部
５５  …………頭部
【図１】
0003120048.tif 000003
【図２】
0003120048.tif 000004
【図３】
0003120048.tif 000005
【図４】
0003120048.tif 000006
【図５】
0003120048.tif 000007
【図６】
0003120048.tif 000008